(57)【要約】      （修正有）【課題】変更された部品のみを交換することができ、キャビネットを再利用出来るスロットマシンのキャビネットを提供する。【解決手段】スロットマシンのキャビネットは、スロットマシンの筐体を構成する、矩形の背板部５と、その背板部５の左右の縁と結合される左側板部２、右側板部３と、背板部５と左右の側板部２、３とで形成される平面視コの字形の上端面に取り付ける天板部１と、コの字形の下端面に取り付ける底板部４と、天板部１と左右の側板部２、３とのそれぞれの突き合せコーナー部、並びに、底板部４と左右の側板部２、３とのそれぞれの突き合せコーナー部に外側から被せるコーナー金具６〜９を備え、コーナー金具６〜９は筐体の内側からネジ止めされている。【選択図】図１
0003206382.tif 000002
【実用新案登録請求の範囲】
【請求項１】
スロットマシンの筐体を構成する、矩形の背板部と、その背板部の左右の縁と結合される左右の側板部と、前記背板部と前記左右の側板部とで形成される平面視コの字形の上端面に取り付ける天板部と、前記コの字形の下端面に取り付ける底板部と、前記天板部と前記左右の側板部とのそれぞれの突き合せコーナー部、並びに、前記底板部と前記左右の側板部とのそれぞれの突き合せコーナー部に外側から被せるコーナー金具とを備え、前記コーナー金具は、前記筐体の内側からネジ止めされているスロットマシンのキャビネット。
【請求項２】
前記背板部の四辺と、その四辺と接合される前記天板部、前記左右の側板部、前記底板部の各接合箇所には、一方を凸状に、他方を凹状に成形した嵌合部が一定間隔で形成されている請求項１に記載のスロットマシンのキャビネット。
【請求項３】
前記コーナー金具の前記天板部、前記左右の側板部、前記底板部との各接合面には、位置決め用のボス部が設けられ、前記天板部、前記左右の側板部、前記底板部の前記コーナー金具との接合面には、前記ボス部が嵌る座グリ部が設けられている請求項１に記載のスロットマシンのキャビネット。
【考案の詳細な説明】
【技術分野】
【０００１】  この考案は、スロットマシンのキャビネットの天板部と左側板部と右側板部と底板部と背板部との相互に固定する部分の構造に関する。
【背景技術】
【０００２】パチンコ型スロットマシン（以下「パチスロ」という）等の遊技機筐体は一般に、前面が開口した箱形のキャビネット内に、複数のリールを備えたリール装置やそのリールや液晶装置などを電気的に制御するための制御装置、多数枚のメダルを収容しメダルの払い出しをする装置などの装置本体と装置取付金具とハーネス類などが格納されている。【０００３】パチスロ遊技機筐体の場合、機種が異なっても同一の形状寸法となっているため、パチスロ遊技機を回収した後に、使用した筐体を異なった機種に再利用できれば製造コストを下げることが可能である。【０００４】特に、パチスロ遊技機は一般的に短期間で次機種と交換されるため、製造コストをおさえるために、形状寸法が同一であるキャビネットを再利用可能にすることが望ましい。【０００５】しかし、パチスロ遊技機は法規制によって改造、改良が出来ないことになっている。
【先行技術文献】
【特許文献】
【０００６】
【特許文献１】特開２０１４−２２３２９２号公報
【考案の概要】
【考案が解決しようとする課題】
【０００７】パチスロのキャビネットは、あらかじめキャビネットに加工してあるホール島への取付穴を用いて取り付けられるが、このとき取付穴が大きくなってしまったり、また取付穴が無い箇所に木ネジを打ち込まれたりすることにより元の筐体の形状と異なったものになったと解されてしまう。これを次機種で再利用すると改造品のパチスロ遊技機になってしまう。そのため再利用できなかった。【０００８】また、筐体は外側のカド部が、運送時・設置搬入出時に欠損や凹んだりすることにより補修コストが高くなって問題になっていた。【０００９】これまで考案されたものは、同時にこの問題を解決されるものがなかった。
そのため充分な解決とは言い難く、未だ市場のほとんどの筐体は、天板と底板と左側板と右側板と背板は、接着剤と針・釘にて箱状にして、板部品各々を取り替えできない構浩のままである。【００１０】本考案は、以上の問題を解決することを課題とする。
【課題を解決するための手段】
【００１１】  本考案に係るスロットマシンのキャビネットは、スロットマシンの筐体を構成する、矩形の背板部と、その背板部の左右の縁と結合される左右の側板部と、前記背板部と前記左右の側板部とで形成される平面視コの字形の上端面に取り付ける天板部と、前記コの字形の下端面に取り付ける底板部と、前記天板部と前記左右の側板部とのそれぞれの突き合せコーナー部、並びに、前記底板部と前記左右の側板部とのそれぞれの突き合せコーナー部に外側から被せるコーナー金具とを備え、前記コーナー金具は、前記筐体の内側からネジ止めされていることを特徴とする。【００１２】  さらに、前記背板部の四辺と、その四辺と接合される前記天板部、前記左右の側板部、前記底板部の各接合箇所には、一方を凸状に、他方を凹状に成形した嵌合部が一定間隔で形成されていることを特徴とする。
これにより、背板部の四辺を各板部に形成された嵌合部に嵌め込むだけで取り付けることができるので、組み立てコストを低減することができる。【００１３】  加えて、前記コーナー金具の前記天板部、前記左右の側板部、前記底板部との各接合面には、位置決め用のボス部が設けられ、前記天板部、前記左右の側板部、前記底板部の前記コーナー金具との接合面には、前記ボス部が嵌る座グリ部が設けられていることを特徴とする。
これにより、各板部の端部を突き合せ、そこにコーナー金具を被せて固定するときの作業が極めて簡単になるから、作業効率を格段に向上させることができる。
【考案の効果】
【００１４】  本考案のパチスロのキャビネットでは、変更された部品のみを交換することができ、キャビネットを再利用出来るようになり。
コストを下げることができる。【００１５】キャビネット外側カド部にコーナー金具を使用することにより、運送時や搬入取付時において欠損したり、凹んだりすることが大幅に軽減される。
また、本考案の専用コーナー金具は、内側からネジで締結し、組み立てるため、外側から容易に分解できなくし、不正が出来ない構造になり。
コスト面とセキュリティー面を解決した。
【図面の簡単な説明】
【００１６】
【図１】本考案の実施形態に係るスロットマシン筐体を正面から見た分解斜視図。
【図２】本考案の実施形態に係るスロットマシン筐体を背面から見た分解斜視図。
【図３】本考案の実施形態に係るスロットマシン筐体の組み上がった外観図。
【図４】本考案を実施するために係る左側板と右側板と天板と底板と背板が組み立てられた状態を縦方向に切断して示した断面図。図３におけるＡ−Ａ線断面図。
【図５】本考案を実施するために係るコーナー金具の外観図面。
【図６】本考案を実施するために係るコーナー金具の断面図。図５におけるＢ−Ｂ線断面図。
【図７】本考案を実施するために係るスロットマシンの筐体の背板部周りを示す横断面図。図３におけるＣ−Ｃ線断面図。
【図８】本考案を実施するために係るスロットマシンの筐体の背板部周りを示す縦断面図。図３におけるＤ−Ｄ線断面図。
【考案を実施するための形態】
【００１７】  以下、本考案の実施の形態を図１〜図８に基づいて説明する。
【００１８】  これらの図において、スロットマシンのキャビネットは、スロットマシンの筐体６３を構成する、矩形の背板部５と、その背板部５の左右の縁と結合される左側板部２、右側板部３と、前記背板部５と前記左右の側板部２、３とで形成される平面視コの字形の上端面に取り付ける天板部１と、前記コの字形の下端面に取り付ける底板部４と、前記天板部１と前記左右の側板部２、３とのそれぞれの突き合せコーナー部、並びに、前記底板部４と前記左右の側板部２、３とのそれぞれの突き合せコーナー部に外側から被せるコーナー金具６〜９とを備えている。
【００１９】  背板部５と接合される左側板部２と右側板部３の各接合箇所には、凹状の溝３６、４０が一定間隔で上下方向に形成されている。一方、左側板部２並びに右側板部３と接合される背板部５のそれぞれの接合箇所には、前記凹状の溝３６、４０に挿入する凸部３７、４１がそれぞれ一定間隔で設けられている。
【００２０】  同様に、背板部５と接合される天板部１と底板部４の各接合箇所には、凹状の溝３４、３８が一定間隔で水平方向に形成され、天板部１並びに底板部４と接合される背板部５のそれぞれの接合箇所には、前記凹状の溝３４、３８に挿入する凸部３５、３９がそれぞれ一定間隔で設けられている。
【００２１】  このように、凹状の溝３４、３６、３８、４０を一定間隔で設けたのは、溝のない箇所５４を設けることによって、溝の強度不足を補うためである。すなわち、溝を端から端まで設けると、特に溝の端部では、強度不足によって欠損することがあるので、それを防止するためである。なおこれらの溝３４、３６、３８、４０と凸部３５、３７、３９、４１とで、それぞれ嵌合部が形成されている。
【００２２】  また、コーナー金具６〜９が取り付けられる各板部１〜４のコーナー部（端部）には、コーナー金具６〜９の厚み分だけ凹ませた段差部５５〜６２を設けている。これは、コーナー金具６〜９を各板部１〜４に当てたときに、各板部１〜４の表面に段差を生じさせないようにするためである。
【００２３】  また、各板部１〜４の段差部５５〜６２には、座グリ部６４〜７１が形成され、その座グリ部６４〜７１にコーナー金具６〜９の内側に設けられたボス部１０２が嵌り込むようになっている。これにより、コーナー金具６〜９を取り付けるときの位置決めが極めて簡単にできるようになっている。
【００２４】  また、各コーナー金具６〜９のボス部１０２には、それぞれネジ孔が設けられ、そのコーナー金具６〜９が取り付けられる各板部１〜４の段差部５５〜６２には、前記ネジ孔に対向する位置に貫通孔が設けられている。
【００２５】  各板部１〜５とコーナー金具６〜９とを使って筐体６３に組み立てるときは、直交する二辺の板部、例えば、天板部１と左側板部２の上端部を突き合せてできるコーナー部と、底板部４と右側板部３の下端部を突き合せてできるコーナー部にそれぞれコーナー金具６、９を当てて内側からネジで仮止めする。このとき使用するネジは、締め付けた状態でネジの先端がコーナー金具６〜９から飛び出さない長さのものを使用する。
【００２６】  こうしてＬ形に組んだ左右の組み立て体ができると、それらの組み立て体で背板部５を挟むように、それぞれの凹状の溝３４、３６、３８、４０に背板部５の各凸部３５、３７、３９、４１を挿入して、左右の組み立て体を合体させる。続いて合体によってできた左下のコーナー部と右上のコーナー部にコーナー金具８、７をそれぞれ当てて内側からネジで仮止めする。そして、ネジ止めしていない各ネジ孔にネジを捻じ込み、さらに仮止めしたネジも締め付けて固定する。これで、キャビネットが完成する。こうして、筐体６３の内側から全てのネジを取り付けるので、キャビネットが完成すると、外部からは分解できなくなる。
【符号の説明】
【００２７】１  天板部、２  左側板部、３  右側板部、４  底板部、５  背板部、６〜９  コーナー金具、１０  背板右下貫通孔、１１  天板左貫通孔、１２天板右貫通孔、１３  左側板上貫通孔、１４  右側板上貫通孔、１５  左側板下貫通孔、１６  右側板下貫通孔、１７  底板左貫通孔、１８  底板右貫通孔、１９  背板左上貫通孔、２０  背板右上貫通孔、２１  背板左下貫通孔、２２  背板左上ネジ、２３  左側板上ネジ、２４  天板左ネジ、２５  背板右上ネジ、２６  右側板上ネジ、２７  天板右ネジ、２８  背板左下ネジ、２９  左側板下ネジ、３０  底板左ネジ、３１  背板右下ネジ、３２  底板右ネジ、３３  右側板下ネジ、３４  凹状の溝、３５  凸部、３６  凹状の溝、３７  凸部、３８  凹状の溝、３９  凸部、４０  凹状の溝、４１  凸部、４２  メネジ孔、４３  メネジ孔、４４  メネジ孔、４５  メネジ孔、４６  メネジ孔、４７  メネジ孔、４８  メネジ孔、４９  メネジ孔、５０  メネジ孔、５１  メネジ孔、５２  メネジ孔、５３  メネジ孔、５４  溝補強部、５５〜６２  段差部、６３  筐体、６４〜７１  座グリ部、１０１  凹加工、１０２  ボス部
【図１】
0003206382.tif 000003
【図２】
0003206382.tif 000004
【図３】
0003206382.tif 000005
【図４】
0003206382.tif 000006
【図５】
0003206382.tif 000007
【図６】
0003206382.tif 000008
【図７】
0003206382.tif 000009
【図８】
0003206382.tif 000010